(57)【要約】【課題】宝石を使用する装身具において、その機能性と自由性とデザイン性を高め、作業性も大幅に向上することができる装飾体を提供する。【解決手段】宝石を使用する装身具において、筒状の貴金属、あるいは金属製の枠に宝石を必要数入れて、枠と宝石の隙間をすべて埋め尽くす量の接着剤を入れた後、透明ガラスを接着材の上から固定し、宝石の欠落の可能性のない、誰でも簡単に宝石が固定できるデザイン自由度の高い装飾体を提供する。【選択図】図１
2014046070.tif 000002
【特許請求の範囲】
【請求項１】
宝石を使用する装飾体において、筒状の貴金属あるいは金属製の枠の中に宝石を入れ、宝石と筒状枠との隙間に接着剤を必要量投入し、さらに１枚以上の透明ガラスを接着剤の上から固定してなる装飾体とその製造方法。
【請求項２】
透明ガラスがサファイヤガラスであることを特徴とする請求項１に記載の装飾体とその製造方法。
【請求項３】
透明ガラスに半透明の着色が施された請求項１に記載の装飾体とその製造方法。
【請求項４】
透明ガラスが硬質樹脂である請求項１に記載の装飾体とその製造方法
【請求項５】
宝石が天然及び人工である請求項１に記載の装飾体とその製造方法。
【請求項６】
宝石を固定する接着部材が紫外線硬化樹脂である請求項１に記載の装飾体とその製造方法。
【請求項７】
宝石を固定する接着部材が樹脂である請求項１に記載の装飾体とその製造方法。
【請求項８】
筒状の枠の一方が閉じているか、あるいは微細な孔が設けられている請求項１に記載の装飾体とその製造方法。
【発明の詳細な説明】
【技術分野】
【０００１】
この発明は宝石を使用するに装飾体おいて、その機能性と自由性とデザイン性を高め、作業性も大幅に向上することができる装飾体に関するものである。
【背景技術】
【０００２】
装身具において、ダイヤモンドなどの宝石を貴金属の枠に固定する場合、貴金属の枠に宝石を取り囲むように爪と称される棒形状を付帯させ、宝石を所定の位置に設置した後、棒形状部分を宝石側に曲げて倒し込み宝石を固定している。
【０００３】
しかし、棒形状を貴金属の枠に設置し宝石を固定するこの技法では、固定する宝石の数の数倍の棒形状を設置し、曲げていく必要があるため、加工時間が長時間になることや、固定した宝石が装身具の使用中に欠落してしまうという問題などがあった。
【０００４】
このことから、特許３３４１０８２のように、宝石を２枚の板状部分の空間に挟み込む技法などある。
【０００５】
しかしながら、特許３３４１０８２ではあらかじめ宝石を別の固定用個体に設置しておく必要があり、宝石の固定作業に多くの時間がかかってしまうという問題がある。
【先行技術文献】
【特許文献】
【０００６】
【特許文献１】特許３３４１０８２
【発明の概要】
【発明が解決しようとする課題】
【０００７】
この発明は前述した問題点を解決するものであり、宝石を使用する装飾体において、その機能性と自由性とデザイン性を高め、作業性も大幅に向上することができる装飾体とその製造方法に関するものである。
【課題を解決するための手段】
【０００８】
以上の課題を解決するため、この発明は、宝石を使用する装飾体において、１枚以上の
透明ガラスと貴金属枠、もしくは金属枠、そして透明な接着材等から成り立っていて、前述の問題点を解決し、機能性と自由性とデザイン性を高めることができる装飾体であり、短時間で簡単に製造をすることができることを特徴とするものである。
【０００９】
この発明は、宝石を使用する装飾体において、宝石の設置と固定が容易で、自由なデザインの装飾体を簡単に製造できることを特徴とする。
【００１０】
この発明の装飾体の一部には、貴金属あるいは金属製の枠が用いられていて、その枠は筒状であり、段差があり、透明なガラスと接着材等によって宝石が２重に固定されていることを特徴とする。
【発明の効果】
【００１１】
この発明によれば、宝石を使用する装飾体において、宝石の固定に多くの時間を費やす、宝石が欠落する、デザインの制限が生じるという問題点を取り除き、その機能性と自由性とデザイン性を高め、作業性も大幅に向上することができる装飾体の提供をすることが可能となった。
【図面の簡単な説明】
【００１２】
【図１】この発明の全体図である。
【図２】この発明の実施形態を示す図である。
【発明を実施するための形態】
【００１３】
図１は本発明の形態で、宝石を使用する装飾体である。
【００１４】
図１に示すように、宝石を使用する装飾体１０は、段差のある筒状の貴金属枠１と、宝石３、接着剤４と透明ガラス２から形成されている。
【００１５】
宝石を使用する装飾体１０の枠１は貴金属製か金属製であるので、指輪やペンダントやイヤリング、ブローチ、ブレスレットなど全ての装身具を作ることができる。
【００１６】
装身具１０の枠１は、一般的に使用されている素材なので、自由な形状で製作することができ、大きなや形状も自由に作ることができる。
【００１７】
装身具１０に用いられる透明ガラス２は硬質の素材であるため、割れたり、傷がついたりすることはまずない。
【００１８】
図２に示すように、装飾体１０は枠１と透明ガラス２と宝石３、そして接着剤４で形成されている。
【００１９】
図２のように、装飾体１０の枠は宝石を入れるために必要なスペースが設けられていて、
そこに必要数の宝石３を入れた後、枠１と宝石３とのスペースをすべて埋め尽くす量の接着剤を入れて、透明ガラスを設置する。
【００２０】
接着剤は透明であり、透明ガラスと接しているので、ダイヤモンドのような透明に近い宝石を設置しても宝石は十分に区別できる。
【００２１】
また、宝石にサイズの異なるものを使用して、ガラスと１部の宝石の後方部分に隙間ができても接着剤が隙間部分を埋めるので、サイズや形状の異なる宝石を同時に固定することができる。
【００２２】
ガラスを設置した後、枠１の透明ガラス２の接触部位の一部に圧力を与えることによって、ガラスはさらにはずれにくくなる。
【００２３】
また、透明ガラス２は圧入固定しても良い。
【００２４】
枠１に固定される宝石表面には、一般的に宝石を固定するのに用いられる爪と呼ばれる金属突起がないので、宝石の輝きを損なうことはなく、本来の輝きを得ることができるとともに、透明ガラス２が表面を覆っているので、宝石の欠落の心配はない。
【００２５】
また、枠１に宝石を密集させることによって、実際に使用している宝石よりも大きな宝石として見ることができる。
【００２６】
さらに、枠１に固定する宝石に様々な色のついた宝石を使用することによって、文字や図形などを表現することもできる。
【００２７】
そして、枠１を裏表や、４角形など複数面とすることもできるので、複数面の宝石の色やデザインを楽しむこともできる。
【００２８】
このような工程を経て製造された装飾体１０は、石留めなどの工程を大幅に省くことが可能で、従来になかった斬新なデザインが展開できる機能的なものとなった。
【産業上の利用可能性】
【００２９】
この発明の装身具は、従来のような複雑で難しい宝石を留める工程がないので、製作時間を大幅に削減し、しかも宝石が欠落する心配のない、文字や図形も自在に表現することのできるため、装身具市場に新たに付加価値の高い製品を提供できるようになった。
【符号の説明】
【００３０】
１  枠
２  透明ガラス
３  宝石
４  接着剤
【図１】
2014046070.tif 000003
【図２】
2014046070.tif 000004